(57)【要約】【課題】入手容易な判子でも偽造困難な認証用具とすること。【解決手段】模様形成部材３０は、筐体３１と、模様部３２と、ヒータ３３とを備える。模様部３２は、判子に形成される模様を表す部分である。模様部３２は、波型の模様を表している。模様部３２は、硬度が高く且つ熱を伝えやすい部材（例えば鉄又は銅等）で形成されている。ヒータ３３は、例えばハロゲンランプ等の熱源であり、模様部３２を直接又は間接的に加熱する。模様形成部材３０は、判子の印面が押し付けられてその印面に固有の模様（波型の模様）を表す溝を形成させる。模様形成部材３０は、印面が押し付けられる部分である模様部３２が発熱することで、熱可塑性の材料で製造された判子に模様を形成する。【選択図】図２
2020006607.tif 000002
【特許請求の範囲】
【請求項１】
印影に固有の模様を追加する部材が用いられた判子の押印による印影を記憶し、光学的に読み取られた印影が前記判子の印影である場合に正当な印影と認証する認証システム。
【請求項２】
前記部材は、判子の印面が押し付けられて当該印面に前記固有の模様を表す溝を形成させる
請求項１に記載の認証システム。
【請求項３】
前記部材は、前記印面が押し付けられる部分が発熱する
請求項２に記載の認証システム。
【請求項４】
前記部材は、前記固有の模様を表す網目を有し、判子の印面に被せて用いられる
請求項１に記載の認証システム。
【請求項５】
判子の印影及び前記模様を記憶し、角度が入力されると、記憶した前記印影に当該印影の基準方向に対して入力された角度だけずらした前記模様を重ねた画像を前記押印による印影として記憶する
請求項４に記載の認証システム。
【請求項６】
互いに印影の異なる複数の判子の印影と、互いに追加する模様が異なる複数の部材の模様とを記憶し、前記複数の判子の印影から選択された印影に前記複数の部材から選択された模様を重ねた画像を前記押印による印影として記憶する
請求項１から５のいずれか１項に記載の認証システム。
【請求項７】
判子の印面が押し付けられて当該印面に固有の模様を表す溝を形成させる部材。
【請求項８】
固有の模様を表す網目を有し、判子の印面に被せて用いられる部材。
【発明の詳細な説明】
【技術分野】
【０００１】
本発明は、印影を認証する技術に関する。
【背景技術】
【０００２】
印影を認証する技術として、特許文献１には、本人確認がされた利用者の印影情報を印影情報データベースから特定し、特定した印影情報に基づいて立体造形指示を合成し、３次元造形機を用いて印章を作成する技術が開示されている。
【先行技術文献】
【特許文献】
【０００３】
【特許文献１】特開２０１５−１２７８４４号公報
【発明の概要】
【発明が解決しようとする課題】
【０００４】
店舗等では判子を用いて割引等の手続き（判子が押されていれば割引を適用する等）が行われている。この判子が偽造されると不当な割引が行われるため、例えば単純な印影だと偽造が容易になるため望ましくない。一方で、万が一偽造された場合は、新しい判子が容易に用意できることが望ましい。
本発明は、上記の背景に鑑み、入手容易な判子でも偽造困難な認証用具とすることを目的とする。
【課題を解決するための手段】
【０００５】
上述した課題を解決するために、本発明は、印影に固有の模様を追加する部材が用いられた判子の押印による印影を記憶し、光学的に読み取られた印影が前記判子の印影である場合に正当な印影と認証する認証システムを第１の態様として提供する。
【０００６】
第１の態様の認証システムによれば、入手容易な判子でも偽造困難な認証用具とすることができる。
【０００７】
上記の第１の態様の認証システムにおいて、前記部材は、判子の印面が押し付けられて当該印面に前記固有の模様を表す溝を形成させる、という構成が第２の態様として採用されてもよい。
【０００８】
第２の態様の認証システムによれば、押印の際に部材が不要とすることができる。
【０００９】
上記の第２の態様の認証システムにおいて、前記部材は、前記印面が押し付けられる部分が発熱する、という構成が第３の態様として採用されてもよい。
【００１０】
第３の態様の認証システムによれば、熱可塑性の材料で製造された判子にも模様を形成することができる。
【００１１】
上記の第１の態様の認証システムにおいて、前記部材は、前記固有の模様を表す網目を有し、判子の印面に被せて用いられる、という構成が第４の態様として採用されてもよい。
【００１２】
第４の態様の認証システムによれば、判子に追加する模様を変更することができる。
【００１３】
上記の第４の態様の認証システムにおいて、判子の印影及び前記模様を記憶し、角度が入力されると、記憶した前記印影に当該印影の基準方向に対して入力された角度だけずらした前記模様を重ねた画像を前記押印による印影として記憶する、という構成が第５の態様として採用されてもよい。
【００１４】
第５の態様の認証システムによれば、追加する模様の角度を変更する度に印影を読み取る必要をなくすことができる。
【００１５】
上記の第１から第５のいずれか１の態様の認証システムにおいて、互いに印影の異なる複数の判子の印影と、互いに追加する模様が異なる複数の部材の模様とを記憶し、前記複数の判子の印影から選択された印影に前記複数の部材から選択された模様を重ねた画像を前記押印による印影として記憶する、という構成が第６の態様として採用されてもよい。
【００１６】
第６の態様の認証システムによれば、模様を追加する前の判子の変更及び追加する模様の変更を容易に行うことができる。
【００１７】
上述した課題を解決するために、本発明は、判子の印面が押し付けられて当該印面に固有の模様を表す溝を形成させる部材を第７の態様として提供する。
【００１８】
第７の態様の部材によれば、入手容易な判子でも偽造困難な認証用具とすることができる。
【００１９】
上述した課題を解決するために、本発明は、固有の模様を表す網目を有し、判子の印面に被せて用いられる部材を第８の態様として提供する。
【００２０】
第８の態様の部材によれば、入手容易な判子でも偽造困難な認証用具とすることができる。
【図面の簡単な説明】
【００２１】
【図１】第１実施例に係る印影認証システムの構成を表す図
【図２】模様形成部材の外観を表す図
【図３】模様が形成される前の判子の外観を表す図
【図４】模様が形成された判子を表す図
【図５】模様の形成前後での印影の変化を表す図
【図６】印影管理装置のハードウェア構成を表す図
【図７】駐車場精算機のハードウェア構成を表す図
【図８】ユーザ支援システムが実現する機能構成を表す図
【図９】精算処理における動作手順の一例を表す図
【図１０】網状部材の外観を表す図
【図１１】網状部材が被せられた判子の一例を表す図
【図１２】印面側から見た判子を表す図
【図１３】第２実施例で形成される印影の一例を表す図
【図１４】印面側から見た判子の別の例を表す図
【図１５】変形例の網状部材の外観を表す図
【図１６】網状部材が被せられた判子の一例を表す図
【図１７】模様の角度の入力画面の一例を表す図
【図１８】模様の選択画面の一例を表す図
【図１９】元の判子の選択画面の一例を表す図
【図２０】模様及び元の判子の選択画面の一例を表す図
【発明を実施するための形態】
【００２２】
［１］第１実施例
図１は第１実施例に係る印影認証システム１の構成を表す。印影認証システム１は、判子（印章とも言う）の印影を認証するシステムである。印影認証システム１は、ネットワーク２と、印影管理装置１０と、駐車場精算機２０と、模様形成部材３０と、判子４０とを備える。
【００２３】
ネットワーク２は、移動体通信網及びインターネット等を含む通信システムであり、自システムにアクセスする装置等（装置、端末及びシステム）同士のデータのやり取りを中継する。ネットワーク２には、印影認証システム１が備える装置等がそれぞれ有線通信でアクセスしている。なお、ネットワーク２とのアクセスは有線通信及び無線通信のどちらでもよい。
【００２４】
印影管理装置１０は、印影（押印された用紙等に形成される判子の跡）を管理する装置である。印影管理装置１０は、画像を読み取るスキャナを備え、例えばスキャナにより読み取った印影を印影ＤＢ（Data Base）に格納する。駐車場精算機２０は、駐車場の精算を行う機能（精算機能）に加え、画像を読み取るスキャナを備え、印影を読み取る機能（印影読取機能）を有する。本実施例では、駐車場精算機２０は、店舗等に隣接した駐車場に設置される。
【００２５】
その店舗の店員は、印影ＤＢに印影が格納されている判子を用いて買い物客のレシート等に押印する。買い物客は、駐車場に着くと駐車場精算機２０に印影を読み取らせる。駐車場精算機２０は、読み取った印影が印影ＤＢに登録されている場合、割引を適用した料金で精算を行う。このように、本実施例では、割引の適用の可否を判断するための認証用具として判子が用いられるため、例えば偽造されたり盗難されたりすると悪用される（不当な割引を受けられる）おそれがある。
【００２６】
模様形成部材３０は、判子の悪用を防ぐために判子に模様を形成する部材である。
図２は模様形成部材３０の外観を表す。模様形成部材３０は、筐体３１と、模様部３２と、ヒータ３３とを備える。筐体３１は、扁平な直方体の形をしており、内部にヒータ３３を格納する。筐体３１は、面積が大きい２面のうちの一方の面である上面３１Ｓに模様部３２が設けられている。図２（ａ）では上面３１Ｓ側から見た模様形成部材３０が表され、図２（ｂ）では上面３１Ｓに沿って見た模様形成部材３０が表されている。
【００２７】
模様部３２は、判子に形成される模様を表す部分である。模様部３２は、本実施例では、波型の模様を表している。模様部３２は、硬度が高く且つ熱を伝えやすい部材（例えば鉄又は銅等）で形成されている。ヒータ３３は、例えばハロゲンランプ等の熱源であり、模様部３２を直接又は間接的に加熱する。ヒータ３３は、図示せぬスイッチにより加熱のオン・オフが切り替えられる。
【００２８】
図３は模様が形成される前の判子４０の外観を表す。図３（ａ）では、判子４０の印面４１側が表されており、図３（ｂ）では、印面４１側を正面としたときの側面４２側から見た判子４０が表されている。印面４１には「割引」という文字が彫られている。判子４０は、例えば熱及び強い力を加えられると変形して元の形に戻らなくなる熱可塑性の材料（合成樹脂等）を用いて作られている。模様形成部材３０のスイッチを入れて模様部３２を加熱した状態にして、判子４０の印面４１を模様部３２に押し付けることで、印面４１が変形し、波型の模様を表す溝が印面４１に形成される。
【００２９】
図４は溝が形成された判子４０ａを表す。４０ａは、溝が形成される前の判子４０と区別するための便宜上の符号であり、判子４０及び判子４０ａは同じ物である。図４（ａ）では、判子４０ａの印面４１ａ側が表されており、図４（ｂ）では、側面４２ａ側から見た判子４０ａが表されている。印面４１ａには、波型の模様（白抜き部分）を表す溝が形成されている。側面４２ａにも、模様部３２によって形成された溝が現れている。
【００３０】
図５は模様の形成前後での印影の変化を表す。図５（ａ）では判子４０による印影５０が表され、図５（ｂ）では判子４０ａによる印影５０ａが表されている。印影５０は、丸で囲まれた「割引」という文字を表している。印影５０ａは、波の形に白抜き（溝の部分にはインクが付かないので用紙の色がそのまま現れる）がされた丸及び「割引」という文字を表している。
【００３１】
このように、模様形成部材３０は、判子４０の印面４１が押し付けられてその印面４１に固有の模様（本実施例では波型の模様）を表す溝を形成させる。模様形成部材３０は本発明の「部材」の一例である。これにより、図５（ｂ）に表すように印影にも固有の模様が現れ、模様のない印影に比べて偽造がされにくいようにすることができる。また、元々入手が困難な判子であれば当然偽造は難しいが、入手が容易であるほど偽造も容易になる。本実施例では、そのような入手容易な判子でも、模様形成部材３０を用いることで、模様形成部材３０を用いない場合に比べて偽造困難な認証用具とすることができる。
【００３２】
また、模様形成部材３０は、印面４１が押し付けられる部分である模様部３２が発熱する。これにより、判子４０のように熱可塑性の材料で作られた判子に模様を形成することができる。また、模様形成部材３０は、模様を形成するときにだけ用いられ、実際に押印するときには用いられない。つまり、店員は模様が形成された判子４０ａだけがあれば押印を行うことができ、押印の際に模様形成部材３０を不要とすることができる。
【００３３】
続いて、印影認証システム１のシステムとしての構成を説明する。
図６は印影管理装置１０のハードウェア構成を表す。印影管理装置１０は、ＣＰＵ（Central Processing Unit）１１と、ＲＡＭ（Random Access Memory）１２と、ＲＯＭ（Read Only Memory）１３と、通信部１４と、ＨＤＤ（Hard Disk Drive）１５と、ＵＩ部１６と、読取部１７という各装置を備えるコンピュータである。
【００３４】
ＣＰＵ１１は、ＲＡＭ１２をワークエリアとして用いてＲＯＭ１３やＨＤＤ１５に記憶されているプログラムを実行することで各部の動作を制御する。通信部１４は、アンテナ及び通信回路等を有し、ネットワーク２を介した通信を行う。ＨＤＤ１５は、ＣＰＵ１１が制御に用いるデータやプログラムを記憶している。
【００３５】
ＵＩ部１６は、表示手段であるディスプレイと、ディスプレイの表面に設けられたタッチパネルとを有するタッチスクリーンを備え、画像を表示すると共に、ユーザからの操作を受け付ける。また、ＵＩ部１６は、タッチスクリーン以外にも、キーボード等の操作子を備え、それらの操作子への操作を受け付ける。読取部１７は、用紙等に表されている画像を光学的に読み取るスキャナである。
【００３６】
図７は駐車場精算機２０のハードウェア構成を表す。駐車場精算機２０は、ＣＰＵ２１と、ＲＡＭ２２と、ＲＯＭ２３と、通信部２４と、ＨＤＤ２５と、ＵＩ部２６と、読取部２７と、金銭処理部２８という各装置を備えるコンピュータである。これらの装置は、図６に表す同名の装置と性能又は仕様等の違いはあるが同種の装置である。金銭処理部２８は、精算における金銭の関する処理を行う装置であり、利用者が投入する金銭（硬貨及び紙幣）を受け取り、駐車料金を精算して生じたお釣りを排出する。
【００３７】
印影認証システム１が備える各装置には本システムで提供されるプログラムが記憶されており、各装置のＣＰＵがプログラムを実行して各部を制御することで以下に述べる機能群が実現される。
図８は印影認証システム１が実現する機能構成を表す。印影管理装置１０は、印影読取部１０１と、印影管理部１０２と、印影ＤＢ部１０３とを備える。駐車場精算機２０は、印影読取部２０１と、印影認証部２０２と、精算処理部２０３とを備える。
【００３８】
印影管理装置１０の印影読取部１０１は、押印された用紙等に形成された印影を光学的に読み取る。印影管理装置１０は、例えば店員によって利用される。店員は、例えば図３で述べたように形成された判子４０ａを用いて用紙に押印し、印影管理装置１０の読取部１７を用いて用紙を光学的に読み取らせる。印影読取部１０１は、読み取られた用紙全体の画像から、印影としてよく用いられる形状（丸、楕円及び四角等）及びサイズ（通常の判子のサイズ）の画像を印影画像（印影を示す画像）として読み取る。印影読取部１０１は、読み取った印影を示す印影画像を印影管理部１０２に供給する。
【００３９】
印影管理部１０２は、印影を管理する機能であり、例えば印影読取部１０１により読み取られた印影を示す印影画像を印影ＤＢに格納する。印影管理部１０２は、印影読取部１０１から印影画像が供給されると、印影画像を印影ＤＢ部１０３に供給し、現在時刻に対応付けて印影ＤＢに格納するよう指示する。印影ＤＢ部１０３は、印影画像を格納する印影ＤＢを有し、この指示に従い供給された印影画像を現在時刻（格納時刻）に対応付けて印影ＤＢに格納する。
【００４０】
印影ＤＢに印影が格納された判子を用いて、店員が例えばレシートに押印をする。買い物客はそのレシートを駐車場精算機２０の読取部２７にかざす。駐車場精算機２０の印影読取部２０１は、自装置にかざされた用紙等に形成された印影を光学的に読み取る。印影読取部２０１は、印影管理装置１０と同様の動作で印影を読み取ると、読み取った印影を示す印影画像を印影認証部２０２に供給する。
【００４１】
印影認証部２０２は、印影読取部２０１により読み取られた印影についての認証、すなわちその印影が正当な印影であるか否かの判断を行う。印影認証部２０２は、印影読取部２０１から印影画像が供給されると、その印影画像の有無を問い合わせる問合せデータを印影管理装置１０に送信する。印影管理装置１０の印影管理部１０２は、受け取った問合せデータが示す印影画像を印影ＤＢ部１０３から検索し、その検索結果を示す結果データを駐車場精算機２０に送信する。
【００４２】
印影認証部２０２は、印影画像が検索で見つかった（印影ＤＢに格納されていた）ことを結果データが示す場合、読み取られた印影を認証する（正当な印影であると判断する）。また、印影認証部２０２は、印影画像が検索で見つからなかった（印影ＤＢに格納されていなかった）ことを結果データが示す場合、読み取られた印影を認証しない（正当な印影でないと判断する）。
【００４３】
以上のとおり、印影認証システム１は、模様形成部材３０を用いて模様が形成された判子の押印による印影を記憶する。そして、印影認証システム１は、印影読取部２０１により読み取られた印影が記憶された判子の印影である場合に正当な印影と認証する。印影認証部２０２は、認証の結果を精算処理部２０３に通知する。精算処理部２０３は、印影認証部２０２による認証結果に応じた精算処理を行う。
【００４４】
精算処理部２０３は、本実施例では、正当な印影と認証された場合は、正規の駐車料金に所定の割引を適用して精算処理を行い、正当な印影と認証されなかった場合は、正規の駐車料金で精算処理を行う。印影認証システム１が備える各装置は、上記の構成に基づいて、印影の認証結果に基づく精算処理を行う。以下の図９を参照して精算処理における各装置の動作手順を説明する。
【００４５】
図９は精算処理における動作手順の一例を表す。図９に表す動作手順は、模様が形成された判子４０ａによる印影５０ａを印影管理装置１０に読み取らせる操作を店員が行うことを契機に開始される。まず、印影管理装置１０（印影読取部１０１）は、押印された用紙等に形成された印影を光学的に読み取る（ステップＳ１１）。次に、印影管理装置１０（印影管理部１０２、印影ＤＢ部１０３）は、読み取られた印影を印影ＤＢに格納する（ステップＳ１２）。
【００４６】
この後、店員が判子４０ａを押印したレシートを買い物客が駐車場精算機２０の読取部２７にかざしたとする。駐車場精算機２０（印影読取部２０１）は、自装置にかざされたレシートに形成された印影を光学的に読み取る（ステップＳ２１）。次に、駐車場精算機２０（印影認証部２０２）は、読み取られた印影画像が印影ＤＢに格納されているか否かを問い合わせる問合せデータを印影管理装置１０に送信する（ステップＳ２２）。
【００４７】
印影管理装置１０（印影管理部１０２、印影ＤＢ部１０３）は、問い合わせされた印影画像を印影ＤＢから検索する（ステップＳ２３）。次に、印影管理装置１０（印影管理部１０２）は、検索結果を示す結果データを駐車場精算機２０に送信する（ステップＳ２４）。駐車場精算機２０（印影認証部２０２）は、送信されてきた結果データが示す検索結果に基づき認証処理を行う（ステップＳ２５）。そして、駐車場精算機２０（精算処理部２０３）は、認証結果に基づいて割引適用の可否を判断し（ステップＳ２６）、精算処理を行う（ステップＳ２７）。
【００４８】
［２］第２実施例
本発明の第２実施例について、以下、第１実施例と異なる点を中心に説明する。第１実施例では、判子の印面に溝を形成する、すなわち判子を変形させることで印影に模様が形成されたが、第２実施例では、判子を変形させることなく印影に模様が形成される。そのために、本実施例では、網状の部材が用いられる。
【００４９】
図１０は網状部材６０の外観を表す。網状部材６０は、金属又は樹脂等を紐状又は糸状にして網状に繋げた部材であり、その網の形（網目）によって固有の模様を表す。図１０の例では、網状部材６０は、菱形が隙間なく連なった模様を表している。この網目を有する網状部材６０は、判子の印面に被せて用いられる。網状部材６０は本発明の「部材」の一例である。
【００５０】
図１１は網状部材６０が被せられた判子の一例を表す。図１１（ａ）では、図３（ｂ）に表した側面４２側から見た判子４０が表されている。図１１（ｂ）では、印面４１に網状部材６０が被せられた判子４０ｂが表されている。４０ｂは、網状部材６０が被せられる前の判子４０と区別するための便宜上の符号であり、判子４０及び判子４０ｂは同じ物である。判子４０ｂには、網状部材６０を固定するための留め具６１が取り付けられている。
【００５１】
留め具６１は、例えばゴム等の弾性部材であり、判子４０ｂの外周よりも少し短い輪の形をしている。図１１の例では、２つの留め具６１を用いて網状部材６０を固定している。
図１２は印面側から見た判子を表す。図１２（ａ）では、図３（ａ）に表した印面４１側から見た判子４０が表されている。図１２（ｂ）では、網状部材６０が被せられた印面４１を有する判子４０ｂが表されている。
【００５２】
判子４０ｂを朱肉に押し付けると、印面４１にインクが付着すると共に、印面４１に被せられた網状部材６０にもインクが付着する。そのため、判子４０ｂで押印すると図１３のように印影が形成される。
図１３は本実施例で形成される印影の一例を表す。図１３（ａ）では判子４０による印影５０が表され、図１３（ｂ）では判子４０ｂによる印影５０ｂが表されている。印影５０ｂは、網の形が重なった丸及び「割引」という文字を表している。
【００５３】
このように、本実施例でも、図１３（ｂ）に表すように印影に固有の模様が現れ、模様のない印影に比べて偽造がされにくいようにすることができる。また、入手容易な判子を用いたとしても、網状部材６０を用いることで、網状部材６０を用いない場合に比べて偽造困難な認証用具とすることができる。また、網状部材６０は、被せ方を変えることで新たな印影を形成させることができる。
【００５４】
図１４は印面側から見た判子の別の例を表す。図１４（ａ）では、図１３（ｂ）に表す判子４０ｂから網状部材６０を９０度回転させて被せた判子４０ｃが表されている。図１４（ｂ）では、同じく判子４０ｂから網状部材６０を４５度回転させて被せた判子４０ｄが表されている。このように、本実施例によれば、判子に追加する模様を変更することができる。
【００５５】
［３］変形例
上述した実施例は本発明の実施の一例に過ぎず、以下のように変形させてもよい。また、実施例及び各変形例は必要に応じてそれぞれ組み合わせてもよい。
【００５６】
［３−１］模様形成部材
模様形成部材は、第１実施例で述べたものに限らない。模様形成部材は、例えば第１実施例では波型の模様を表していたが、縞模様、格子模様及び市松模様等であってもよいし、文字、記号及び図形等により表される模様であってもよい。また、模様形成部材は、ヒータを備えていなくてもよい。その場合でも、可塑性の（熱がなくても変形する）材料を用いた判子であれば、溝を形成することができる。要するに、模様形成部材は、判子の印面が押し付けられてその印面に固有の模様を表す溝を形成させることができるものであればよい。
【００５７】
［３−２］判子
上記の各例では、印面が円形の判子が用いられたが、これに限らず、例えば楕円形及び四角形等であってもよい。また、第１実施例又は上記変形例では、熱可塑性又は可塑性の材料を用いて判子が作られていたが、これに限らない。例えば、第２実施例のように網状部材を被せて模様を追加する場合は、チタンのように変形しない材料で作られた判子が用いられてもよい。
【００５８】
［３−３］印影画像の自動生成（角度変化）
上記実施例では用紙等に形成された印影が印影読取部１０１で読み取られて印影画像が印影ＤＢに格納されたが、この押印及び読み取りを行わなくても印影画像が生成されてもよい。
【００５９】
図１５は本変形例の網状部材６０ｅの外観を表す。網状部材６０ｅは、網状部６２と、留め具６３とを備える。網状部６２は、図１０に表す網状部材６０と同じく固有の模様を表す部材である。留め具６３は、図１１に表す留め具６１と同じく網状部６２を判子に固定するためのものであり、ゴム等の弾性部材で形成されている。ただし、第２実施例と異なり、網状部６２は、留め具６３に予め接着材等で固定されている。
【００６０】
留め具６３は、円筒の形をした部材であり、図１５（ａ）に表すように外周に「４５°」、「９０°」及び「１３５°」等の角度が印字されている。これらの角度は、図１５（ｂ）に表すように４５度毎に「０°」から「３１５°」まで印字されている。
図１６は網状部材６０ｅが被せられた判子の一例を表す。図１６では、判子本体４３に網状部材６０ｅが被せられた判子４０ｅが表されている。
【００６１】
判子本体４３は、印面が円形で、印面から留め具６３が固定される個所までは少なくとも円柱の形をしている。判子本体４３の直径よりも留め具６３の内周の直径の方が少し小さくなっている。これにより、留め具６３が判子本体４３に押し付けられて、網状部６２が判子本体４３に固定される。判子４０ｅには、判子の上側を表す印４４（「前印」又は「あたり」等と呼ばれる）が設けられている。
【００６２】
図１６の例では、この印４４に「２２５°」の角度が合わせられている。この場合、印４４に「０°」の角度が合わせられている状態からすると、網状部６２の表す模様が２２５°傾けられた印影が形成されることになる。このように、網状部材６０ｅを用いることで、網状部６２が表す模様の傾きを正確に合わせることができる。本変形例では、判子本体４３だけで押印した場合の印影（本体印影画像）を印影読取部１０１で読み取らせておく。
【００６３】
また、網状部材６０ｅが表す固有の模様だけを示す画像（模様画像）を印影読取部１０１で読み取らせておく。この読み取りは、例えば印影がない枠だけの判子（枠の内側にはインクが付かない判子）に網状部材６０ｅを被せて押印することで行われる。また、網状部材６０ｅを提供する事業者が予め固有の模様を示す画像を生成してそれを配布していれば、それを印影管理装置１０に記憶させてもよい。
【００６４】
印影管理装置１０の印影管理部１０２は、上記の本体印影画像及び模様画像を記憶しておく。印影管理部１０２は、自装置のＵＩ部１６に模様の角度の入力画面を表示する。
図１７は模様の角度の入力画面の一例を表す。図１７の例では、ＵＩ部１６が、印影管理画面に、「模様の角度を入力してください。」という文字列と、模様角度の入力欄Ａ１とを表示している。
【００６５】
店員等が入力欄Ａ１に角度を入力すると、印影管理部１０２は、入力された模様角度だけ傾かせた模様画像を本体印影画像に重ねた画像を印影画像として生成し、プレビュー欄Ａ２に表示させる。この状態で店員が決定ボタンを押すと、印影管理部１０２は、プレビュー欄Ａ２に表示させた印影画像を印影ＤＢに格納させる。このように、本変形例では、印影認証システム１が、店員等によって模様角度が入力されると、先に記憶しておいた印影にその印影の基準方向に対して入力された角度だけずらした模様を重ねた画像を押印による印影を示す印影画像として記憶する。
【００６６】
本変形例では、最初に本体印影画像及び模様画像を記憶させておけば、その後は模様角度を入力するだけで、模様の角度を変化させた印影が印影ＤＢに格納される。これにより、追加する模様の角度を変更する度に印影を読み取る必要をなくすことができる。また、例えば印影管理装置１０及び判子４０ｅが異なる場所で用いられている場合でも、模様角度だけを連絡し合えば変更した印影で認証をすることができる。
【００６７】
［３−４］印影画像の自動生成（部材変更）
上記変形例では印影の固有の模様を追加する部材である網状部材の角度を変えた場合の印影画像が生成されたが、部材そのものを変更した場合の印影画像が生成されてもよい。その場合、印影管理部１０２は、自装置のＵＩ部１６に模様を選択させる選択画面を表示する。
【００６８】
図１８は模様の選択画面の一例を表す。図１８の例では、ＵＩ部１６が、印影管理画面に、「模様を選択してください。」という文字列と、模様番号の選択欄Ａ３と、選択されている模様画像を表す模様画像欄Ａ４とを表示している。店員等が選択欄Ａ３に模様番号を入力すると、印影管理部１０２は、入力された模様番号に対応付けられた模様画像を予め記憶された本体印影画像に重ねた画像を印影画像として生成し、プレビュー欄Ａ５に表示させる。
【００６９】
この模様画像は、第１実施例の模様形成部材により追加される模様を示す画像であってもよいし、第２実施例の網状部材により追加される模様を示す画像であってもよい。ただし、いずれの部材が用いられる場合も、判子の印面に追加する模様の位置及び向きが一定になる（又は意図した位置及び向きになる）ように工夫がされている。例えば網状部材の場合は、図１５に表す網状部材６０ｅのように留め具に角度が印字されていることで、模様の位置及び向きを一定（又は意図した角度）にすることができる。
【００７０】
模様形成部材の場合は、例えば、図２に表す模様部３２に判子の位置及び向きを合わせるための目印が設けられていてもよい。それ以外に、例えば模様部３２の中心から等距離の関係を維持したまま開閉する万力のような冶具を設けて、その冶具により判子を固定することで印面の中心及び模様部３２の中心を一致させてもよい。これらの目印及び冶具を用いることで、これらを用いない場合に比べて、より簡単に模様の位置及び向きを一定（又は意図した位置及び向き）にすることができる。
【００７１】
本変形例では、用意された複数の部材が表す固有の模様だけを示す画像（模様画像）を、各模様に対して割り当てられた模様番号に対応付けて印影管理装置１０に記憶させておく。模様画像の記憶は、印影がない枠だけの判子を用いて行われてもよいし、部材の提供事業者が配布する模様画像を用いてもよい。
【００７２】
図１８に表す状態で店員が決定ボタンを押すと、印影管理部１０２は、プレビュー欄Ａ５に表示させた印影画像を印影ＤＢに格納させる。このように、本変形例では、印影認証システム１が、互いに追加する模様が異なる複数の部材の模様を記憶し、用意された判子の印影に複数の部材から選択された模様を重ねた画像を印影画像として記憶する。これにより、模様が追加された判子の押印とその印影の読み取りとが必須の場合に比べて、追加する模様の変更を容易に行うことができる。
【００７３】
［３−５］印影画像の自動生成（判子変更）
上記変形例では部材そのものを変更した場合の印影画像が生成されたが、模様が追加される前の元の判子を変更した場合の印影画像が生成されてもよい。その場合、印影管理部１０２は、自装置のＵＩ部１６に元の判子を選択させる選択画面を表示する。
【００７４】
図１９は元の判子の選択画面の一例を表す。図１９の例では、ＵＩ部１６が、印影管理画面に、「元の判子を選択してください。」という文字列と、判子番号の選択欄Ａ６と、選択されている判子の印影画像を表す印影画像欄Ａ７とを表示している。店員等が選択欄Ａ６に判子番号を入力すると、印影管理部１０２は、入力された判子番号に対応付けられた本体印影画像を予め用意された模様画像に重ねた画像を印影画像として生成し、プレビュー欄Ａ８に表示させる。
【００７５】
この模様画像も、上記変形例と同様に、第１実施例の模様形成部材により追加される模様を示す画像であってもよいし、第２実施例の網状部材により追加される模様を示す画像であってもよい。本変形例では、用意された複数の元の判子の本体印影画像を、各判子に対して割り当てられた判子番号に対応付けて印影管理装置１０に記憶させておく。図１９に表す状態で店員が決定ボタンを押すと、印影管理部１０２は、プレビュー欄Ａ８に表示させている印影画像を印影ＤＢに格納させる。
【００７６】
このように、本変形例では、印影認証システム１が、互いに印影の異なる複数の判子の印影を記憶し、それら複数の判子の印影から選択された印影に用意された模様を重ねた画像を印影画像として記憶する。これにより、模様が追加された判子の押印とその印影の読み取りとが必須の場合に比べて、元の判子（模様を追加する前の判子）の変更を容易に行うことができる。
【００７７】
［３−６］印影画像の自動生成（部材・判子変更）
上記変形例で述べた部材の変更及び元の判子の変更が両方行われてもよい。その場合、印影管理部１０２は、自装置のＵＩ部１６に元の判子を選択させる選択画面を表示する。
図２０は模様及び元の判子の選択画面の一例を表す。図２０の例では、ＵＩ部１６が、印影管理画面に、「模様及び元の判子を選択してください。」という文字列と、模様番号の選択欄Ａ３と、判子番号の選択欄Ａ６とを表示している。
【００７８】
店員等が選択欄Ａ３及び選択欄Ａ６に入力すると、印影管理部１０２は、入力された判子番号に対応付けられた本体印影画像に選択された模様番号に対応付けられた模様画像を重ねた画像を印影画像として生成し、プレビュー欄Ａ９に表示させる。図２０に表す状態で店員が決定ボタンを押すと、印影管理部１０２は、プレビュー欄Ａ９に表示させている印影画像を印影ＤＢに格納させる。
【００７９】
このように、本変形例では、印影認証システム１が、互いに印影の異なる複数の判子の印影と、互いに追加する模様が異なる複数の部材の模様とを記憶し、前記複数の判子の印影から選択された印影に前記複数の部材から選択された模様を重ねた画像を前記押印による印影として記憶する。これにより、模様が追加された判子の押印とその印影の読み取りとが必須の場合に比べて、元の判子の変更及び追加する模様の変更を容易に行うことができる。
【００８０】
［３−７］各部を実現する装置
図８に表す各機能を実現する装置は、図中に表された装置に限らない。例えば印影管理装置１０が備える１以上の機能（印影ＤＢ部１０３等）を駐車場精算機２０が実現してもよい。なお、印影管理装置１０が備える全ての機能を駐車場精算機２０が実現して、１台の装置で全機能が実現されてもよい。また、複数の印影管理装置１０及び複数の駐車場精算機２０がそれぞれ図８に表す各機能を実現してもよい。
【００８１】
また、図中に表されていない装置（例えば店員等が利用するタブレット端末等）が上記機能（例えば印影管理部１０２等）を実現してもよい。また、１台の装置が備える各機能を２台以上の装置がそれぞれ分担して実現してもよいし、１つの機能が複数の装置により分散して実現されてもよい。要するに、印影認証システム全体としてこれらの機能が実現されていれば、印影認証システムが何台の装置を備えていてもよいし、どのような形態で実現されてもよい。
【００８２】
［３−８］印影認証システム
印影認証システムにおいては、実施例では、駐車料金の割引の適用の可否を判断するための認証用具として判子が用いられたが、判子の用途はこれに限らない。例えば、駐車場ではなく店舗での支払いにおける割引の適用の可否を判断するために用いられてもよいし、割引ではなくおまけの提供の可否を判断するために用いられてもよい。また、スタンプカードのスタンプとして用いられてもよい。要するに、印影が認証された場合に何らかの手続き等が行われるのであれば、どのような用途に本発明の判子が用いられてもよい。
【００８３】
［３−９］発明のカテゴリ
本発明は、印影管理装置１０及び駐車場精算機２０等の各情報処理装置の他、それらの装置を備える印影認証システム１のような認証システムとしても捉えられる。また、本発明は、各装置が実施する処理を実現するための情報処理方法としても捉えられるし、各装置を制御するコンピュータを機能させるためのプログラムとしても捉えられる。このプログラムは、それを記憶させた光ディスク等の記録媒体の形態で提供されてもよいし、インターネット等のネットワークを介してコンピュータにダウンロードさせ、それをインストールして利用可能にするなどの形態で提供されてもよい。
【符号の説明】
【００８４】
１…印影認証システム、１０…印影管理装置、２０…駐車場精算機、３０…模様形成部材、３３…ヒータ、４０…判子、６０…網状部材、１０１…印影読取部、１０２…印影管理部、１０３…印影ＤＢ部、２０１…印影読取部、２０２…印影認証部、２０３…精算処理部。
【図１】
2020006607.tif 000003
【図２】
2020006607.tif 000004
【図３】
2020006607.tif 000005
【図４】
2020006607.tif 000006
【図５】
2020006607.tif 000007
【図６】
2020006607.tif 000008
【図７】
2020006607.tif 000009
【図８】
2020006607.tif 000010
【図９】
2020006607.tif 000011
【図１０】
2020006607.tif 000012
【図１１】
2020006607.tif 000013
【図１２】
2020006607.tif 000014
【図１３】
2020006607.tif 000015
【図１４】
2020006607.tif 000016
【図１５】
2020006607.tif 000017
【図１６】
2020006607.tif 000018
【図１７】
2020006607.tif 000019
【図１８】
2020006607.tif 000020
【図１９】
2020006607.tif 000021
【図２０】
2020006607.tif 000022